(57)【要約】【課題】位置検知装置の交換作業を容易に行い得る電動ロールブラインドのスクリーン昇降装置を提供する。【解決手段】一対のサイドブラケット間に巻取軸４を回転可能に支持し、巻取軸４内に収容したモーター１７の駆動力で巻取軸４を回転させてスクリーンを昇降し、スクリーンの昇降位置を検出する位置検出装置を備えた電動ロールブラインドにおいて、位置検出装置は、サイドブラケット３ｂに取着したフォトセンサー２１と、巻取軸４の端部においてフォトセンサー２１に対向する位置に設けられ、フォトセンサー２１で巻取軸の回転を検出するための検出パターンとを備えた。【選択図】図３
2010084319.tif 000002
【特許請求の範囲】
【請求項１】
一対のサイドブラケット間に巻取軸を回転可能に支持し、前記巻取軸内に収容したモーターの駆動力で前記巻取軸を回転させてスクリーンを昇降し、前記スクリーンの昇降位置を検出する位置検出装置を備えた電動ロールブラインドにおいて、
前記位置検出装置は、
前記サイドブラケットに取着したフォトセンサーと、
前記巻取軸の端部において前記フォトセンサーに対向する位置に設けられ、前記フォトセンサーで前記巻取軸の回転を検出するための検出パターンと
を備えたことを特徴とする電動ロールブラインドのスクリーン昇降装置。
【請求項２】
前記巻取軸の端部にスリットプレートを取着し、前記スリットプレートの側面にスリット模様を前記検出パターンとして形成したことを特徴とする請求項１記載の電動ロールブラインドのスクリーン昇降装置。
【請求項３】
前記サイドブラケットに基端が取着され、前記巻取軸内に突出するモーターケースに前記モーターを取着したことを特徴とする請求項１又は２記載の電動ロールブラインドのスクリーン昇降装置。
【請求項４】
前記サイドブラケットにサイドケースをネジで固定し、前記サイドケースに前記フォトセンサーをネジで固定したことを特徴とする請求項１乃至３のいずれか１項に記載の電動ロールブラインドのスクリーン昇降装置。
【請求項５】
前記巻取軸の端部を前記サイドブラケットに固定した支軸部に回転可能に支持したことを特徴とする請求項４記載の電動ロールブラインドのスクリーン昇降装置。
【発明の詳細な説明】
【技術分野】
【０００１】
この発明は、電動ロールブラインドのスクリーン昇降装置に関するものである。
【背景技術】
【０００２】
電動ロールブラインドは、モーターの駆動力で巻取軸を回転させてスクリーンを昇降するようになっている。このような電動ロールブラインドでは、スクリーンを上限あるいは下限まで昇降されたとき、モーターの作動を停止させて、巻取軸の同方向へのそれ以上の回転を阻止するための位置検知装置が設けられている。
【０００３】
位置検知装置として巻取軸の回転に基づいて移動する送りネジでスクリーンの上限位置及び下限位置を機械的に検知する構成としたものや、エンコーダで巻取軸の回転量を検出してスクリーンの上限位置及び下限位置を電気的に検知する構成としたもの等がある。
【特許文献１】特開２００６−２５７７１１号公報
【発明の開示】
【発明が解決しようとする課題】
【０００４】
送りネジによる機械式の位置検知装置では、送りネジ装置の嵌合ガタ等の機械的精度不良により、検知精度が低下することがある。
エンコーダを使用した位置検知装置では、機械式に比して検知精度は向上する。しかし、モーターユニットにエンコーダが内蔵される構成であるため、モーターの振動でエンコーダのセンサーが動作不良となることがある。このような場合には、エンコーダの動作不良を解消するために、不具合のないモーターを含めたモーターユニットを交換する必要があるため、交換作業が煩雑となるとともに、修理コストも増大する。
【０００５】
特許文献１には、エンコーダを内蔵したチューブラモーターで巻き取りパイプに幕状物を巻き取る巻き取り装置が開示されているが、エンコーダが動作不良となると、チューブラモーターをユニットごと交換する必要がある。
【０００６】
この発明の目的は、位置検知装置の交換作業を容易に行い得る電動ロールブラインドのスクリーン昇降装置を提供することにある。
【課題を解決するための手段】
【０００７】
請求項１では、一対のサイドブラケット間に巻取軸を回転可能に支持し、前記巻取軸内に収容したモーターの駆動力で前記巻取軸を回転させてスクリーンを昇降し、前記スクリーンの昇降位置を検出する位置検出装置を備えた電動ロールブラインドにおいて、前記位置検出装置は、前記サイドブラケットに取着したフォトセンサーと、前記巻取軸の端部において前記フォトセンサーに対向する位置に設けられ、前記フォトセンサーで前記巻取軸の回転を検出するための検出パターンとを備えた。
【０００８】
請求項２では、前記巻取軸の端部にスリットプレートを取着し、前記スリットプレートの側面にスリット模様を前記検出パターンとして形成した。
請求項３では、前記サイドブラケットに基端が取着され、前記巻取軸内に突出するモーターケースに前記モーターを取着した。
【０００９】
請求項４では、前記サイドブラケットにサイドケースをネジで固定し、前記サイドケースに前記フォトセンサーをネジで固定した。
請求項５では、前記巻取軸の端部を前記サイドブラケットに固定した支軸部に回転可能に支持した。
【発明の効果】
【００１０】
本発明によれば、位置検知装置の交換作業を容易に行い得る電動ロールブラインドのスクリーン昇降装置を提供することができる。
【発明を実施するための最良の形態】
【００１１】
以下、この発明を具体化した一実施形態を図面に従って説明する。図１及び図２に示す電動ロールブラインドは、取付面に固定される取付ブラケット１にフレーム２の両端部が支持され、フレーム２の両端にサイドブラケット３ａ，３ｂが取着されている。
【００１２】
前記サイドブラケット３ａ，３ｂ間に巻取軸４が回転可能に支持され、その巻取軸４からスクリーン５が垂下され、スクリーン５の下端にウェイトバー６が取着されている。そして、巻取軸４が回転されると、スクリーン５が巻取軸４に巻き取られ、あるいは巻き戻される。
【００１３】
前記巻取軸４内の一端部にはスプリングモーター７が配設される。このスプリングモーター７は一端がサイドブラケット３ａに対し回転不能に固定され、他端は巻取軸４に固定されている。そして、巻取軸４がスクリーン巻戻し方向に回転されるとスプリングモーター７が蓄勢され、巻取軸４でスクリーン５を巻き取る際にはスプリングモーター７の付勢力が補助力として作用する。
【００１４】
前記巻取軸４内の他端側には前記巻取軸４を回転駆動するモーターユニット８が配設され、サイドブラケット３ｂには前記巻取軸４の回転量を検出するセンサー部（位置検出装置）９が設けられる。そして、モーターユニット８及びセンサー部９はケーブル１０を介して前記コントローラー１１に接続され、リモコン装置（図示しない）の操作によりコントローラー１１を介してモーターユニット８の動作を制御可能となっている。
【００１５】
次に、前記モーターユニット８及びセンサー部９の具体的構成を図３及び図４に従って説明する。図３に示すように、前記サイドブラケット３ｂにはモーターケース１２の基端部に設けられる円筒状の支軸部１３がネジ１４で固定されている。
【００１６】
前記サイドブラケット３ｂの内側面には、前記支軸部１３の周囲に位置するサイドケース１５がネジ２４で固定されている。前記サイドケース１５に隣接する位置で、前記支軸部１３の外周面にはサイドキャップ１６が回転可能に支持され、そのサイドキャップ１６が前記巻取軸４の端部に相対回転不能に嵌合されている。従って、巻取軸４の端部がサイドキャップ１６を介して支軸部１３に回転可能に支持されている。
【００１７】
前記モーターケース１２は前記巻取軸４内に突出され、その先端部が上下方向に２分割されてモーター１７を収容可能となっている。前記モーター１７の出力軸はモーターケース１２外へ突出され、その先端にドライブブッシュ１８が取着されている。そして、ドライブブッシュ１８が前記巻取軸４の内周面に嵌合され、前記モーター１７の作動により、ドライブブッシュ１８を介して巻取軸４が正逆方向に回転されるようになっている。なお、前記モーター１７には前記ケーブル１０に含まれる電源供給線を介して電源が供給される。
【００１８】
前記巻取軸４の端部において、前記サイドキャップ１６には環状のスリットプレート１９が嵌着されている。このスリットプレート１９の前記サイドケース１５側の側面には、図４に示すように、巻取軸４の中心から放射状に延びる線に沿って等間隔に区画されるスリット模様２０が検出パターンとして形成されている。前記スリット模様２０は、印刷あるいはシールの貼着により構成され、黒色部分と白色若しくは淡色部分とが交互に配設されている。
【００１９】
前記サイドケース１５には前記スリットプレート１９のスリット模様２０に対向する位置にフォトセンサー２１が図２に示すネジ２２で取着され、スリットプレート１９に設けられた開口部２３から前記スリットプレート１９の回転に基づくスリット模様２０の通過数を検出可能である。
【００２０】
図７に示すように、前記フォトセンサー２１は発光素子２５と受光素子２６が並設され、発光素子２５から光を出力し、その反射光を受光素子２６で受信し、その受信信号を前記ケーブル１０に含まれる信号線を介して前記コントローラー１１に出力するようになっている。そして、コントローラー１１では受光素子２６の受信信号に基づいて前記スリット模様２０の通過数を検出する。
【００２１】
上記のように構成された電動ロールブラインドでは、リモコン装置の操作によりモーター１７を作動させると、巻取軸４が回転されてスクリーン５が昇降される。このとき、フォトセンサー２１でスリット模様２０の通過数を読み取ることにより、スクリーン５の昇降位置が検出される。
【００２２】
そして、スクリーン５が上限まで引き上げられると、モーター１７のスクリーン巻取り方向の作動が停止される。また、スクリーン５が下限まで下降されると、モーター１７のスクリーン巻戻し方向の作動が停止される。
【００２３】
図５及び図６は、前記センサー部９のフォトセンサー２１に不具合が発生した場合に、フォトセンサー２１を取り外すための手順を示す。まず、電動ロールブラインドを取付面から取り外し、図５に示すように、ネジ１４，２４を取り外して、サイドブラケット３ｂをモーターケース１２及びサイドケース１５から取り外す。
【００２４】
次いで、図６に示すように、ネジ２２を取り外すとフォトセンサー２１がサイドケース１５から取り外し可能となる。そして、ケーブル１０からフォトセンサー２１を取り外し、新たなフォトセンサーをケーブル１０に取着する。また、スリットプレート１９が汚れていれば、サイドケース１５をサイドキャップ１６から取り外し、サイドキャップ１６からスリットプレート１９を取り外して交換あるいは清掃することが可能である。
【００２５】
次いで、上記の逆の手順でフォトセンサーをサイドケース１５に取着し、サイドブラケット３ｂをモーターケース１２及びサイドケース１５に取着すると、フォトセンサー２１の交換作業が終了する。
【００２６】
上記のように構成された電動ロールブラインドでは、次に示す作用効果を得ることができる。
（１）スクリーン５を昇降するとき、巻取軸４の回転量をセンサー部９で読み取って、スクリーン５の昇降位置をコントローラー１１で検出することができる。従って、巻取軸４があらかじめ設定された回転量まで回転されると、コントローラー１１ではスクリーン５が上限あるいは下限まで昇降されたことを検出してモーター１７の動作を停止させることができる。
（２）センサー部９のフォトセンサー２１に不具合が発生した場合には、モーター１７を巻取軸４から取り外すことなく、フォトセンサー２１だけを容易に交換することができる。
（３）モーター１７を巻取軸４から取り外すことなく、センサー部９のスリットプレート１９を容易に交換あるいは清掃することができる。
（４）センサー部９に不具合が発生した場合には、モーター１７を交換することなく、センサー部９だけを交換することができる。従って、修理コストを低減することができる。
（５）サイドブラケット３ｂに固定された支軸部１３にサイドキャップ１６を介して巻取軸４が回転可能に支持されているので、巻取軸４の端部に取着されたスリットプレート１９にはモーター１７の振動が伝わりにくい。また、フォトセンサー２１はサイドブラケット３ｂに取着されたサイドケース１５にネジ２２で固定されるので、フォトセンサー２１にモーター１７の振動が伝わり難い。従って、フォトセンサー２１により巻取軸４の回転量を安定して検出することができる。
【００２７】
上記実施形態は、以下の態様で実施してもよい。
・巻取軸４の端部にフランジ部を設け、そのフランジ部にスリット模様を形成してもよい。このような構成によりスリットプレート１９を省略することができる。
・スリットプレートは、黒色樹脂の円板の外周縁に沿って光を反射する金属板を複数貼り付けてもよい。
・スリットプレートは、光を反射する円板の外周縁に沿って光を透過する孔を設けてもよい。
・フォトセンサーをサイドキャップに合成樹脂の弾性を利用した嵌合部材で取着してもよい。
【図面の簡単な説明】
【００２８】
【図１】電動ロールブラインドを示す一部破断正面図である。
【図２】電動ロールブラインドを示す側面図である。
【図３】電動ロールブラインドのモーターユニット及びセンサー部を示す断面図である。
【図４】スリットプレートを示す側面図である。
【図５】センサー部の交換手順を示す断面図である。
【図６】センサー部の交換手順を示す断面図である。
【図７】フォトセンサーを示す正面図である。
【符号の説明】
【００２９】
３ａ，３ｂ…サイドブラケット、４…巻取軸、５…スクリーン、１５…サイドケース、１６…サイドキャップ、１７…モーター、１９…スリットプレート、２０…検出パターン（スリット模様）、２１…フォトセンサー。
【図１】
2010084319.tif 000003
【図２】
2010084319.tif 000004
【図３】
2010084319.tif 000005
【図４】
2010084319.tif 000006
【図５】
2010084319.tif 000007
【図６】
2010084319.tif 000008
【図７】
2010084319.tif 000009